(57)【要約】【課題】操作表示部の表示窓が密集していても、発光素子からの光の視認性を高めること。【解決手段】操作表示部５１の上面側に設けられた表示ケース３は、発光素子２に対応して表示窓４を形成して、表示窓４の外周部から延設され発光素子２のそれぞれを上方から囲むように遮光リブ５を形成し、表示ケース３の表面にはそれぞれの表示窓４を囲むように格子状に明度の低い暗色の黒印刷部１３を印刷し、表示ケース３と最上面のパネルシート１４との間に透明材料から成るパネルカバー６を設ける構成としたことにより、表示窓４が密集して多くの発光素子２を有していても、発光素子２からの光の端部がくっきりと表示でき、視認性を高めることができる。【選択図】図２
2015206808.tif 000002
【特許請求の範囲】
【請求項１】
各種の入力設定を行うとともに設定内容を表示する操作表示部を有し、前記操作表示部は、上面側に設けられた表示ケースと、下面側に設けられたコントローラカバーと、前記表示ケースと前記コントローラカバーの間に位置し前記コントローラカバー内に収納された制御装置と、透明または半透明材料から成りコースや操作表示等に関する内容が表面または裏面に印刷され前記表示ケースの表面に貼付されたパネルシートとからなり、前記制御装置は、入力設定を行うための複数のタクトスイッチと、設定内容や進行状況などを表示するための発光ダイオードからなる複数の発光素子と、これらの電子部品を搭載したプリント基板とを備え、前記表示ケースは、前記発光素子のそれぞれに対応して複数の表示窓を形成するとともに、前記表示窓の外周部から延設され前記発光素子のそれぞれを上方から囲むように遮光リブを形成し、前記表示ケースの表面にはそれぞれの前記表示窓を囲むように格子状に明度の低い暗色の黒印刷部を印刷し、前記表示ケースと前記パネルシートとの間には透明材料から成るパネルカバーを設けた表示装置。
【発明の詳細な説明】
【技術分野】
【０００１】
本発明は、表示窓を有する表示装置に関するものである。
【背景技術】
【０００２】
従来、この種の表示窓を有する表示装置は、本体前部に運転コースの設定や設定した内容などを表示する操作表示部を有しており、その表示部に使用する発光ＬＥＤの光が当該個所以外から漏れてくるのを防止する構成が提案されている（例えば、特許文献１参照）。
【０００３】
図４は、特許文献１に記載された従来の洗濯機の表示装置の部分拡大断面図である。
【０００４】
図４において、プリント基板７１の表面に複数の発光ＬＥＤ７２が実装されている。プリント基板７１を収納するケース７３には、各発光ＬＥＤ７２に対応する位置にそれぞれ表示窓７４が形成されており、また、ケース７３には、この表示窓７４と隣の表示窓７４との間の位置に、プリント基板７１側に向けて遮光リブ７５が形成されている。
【０００５】
遮光リブ７５は、その高さが一方の表示窓７４から隣接する他方の発光ＬＥＤ７２が見えない程度に設定されている。表面側に設けられた透明または半透明材料から成るパネル７６は、両面接着テープ７７を介してケース７３に接着されている。また、遮光リブ７５の下端部に対応するプリント基板７１の位置には、透光スリット７８が設けられており、遮光リブ７５の厚みと同様な幅を有し、遮光リブ７５の長手方向の長さと同様な長さを有する長方形状に形成されている。
【０００６】
以上の構成にて、使用者がスイッチ操作をすると、そのスイッチに関連する特定の発光ＬＥＤ７２が発光して、その光は表示窓７４を通して視認され、その機器における特定の機能が実行されていることを使用者に知らせることができる。
【０００７】
そして、発光している表示窓７４に隣接する表示窓７４に光が漏れないように、発光しているＬＥＤ７２の光を遮光リブ７５で遮っているが、ＬＥＤ７２からの一部の光は、ケース７３の裏面に反射してプリント基板７１に向かう。この時、その光の向かう先には透光スリット７８が形成されているので、この透光スリット７８によってプリント基板７１での拡散が防止される。
【先行技術文献】
【特許文献】
【０００８】
【特許文献１】特開平１１−１５３９７０号公報
【発明の概要】
【発明が解決しようとする課題】
【０００９】
しかしながら、前記従来の構成では、発光ＬＥＤの数が少ない場合には、プリント基板での光の拡散は防止することができたとしても、表示部が密集し多くの発光ＬＥＤがある場合には、透明パネルを通して光の屈折や拡散が発生してしまい、利用者が視認する発光端の境界がぼやけて見えたり、隣接する発光部端がにじんで見えたりして、商品として見栄えが悪く、品位を落としかねないという課題や、透光スリットを大きく、あるいは数多く設けると、強度も著しく低下してしまうという課題があった。
【００１０】
本発明は、前記従来の課題を解決するもので、表示窓が密集していても、発光素子から
の光が、乱反射により隣接する表示窓へ光漏れすることを防止し、視認性を高めた表示装置を提供することを目的としている。
【課題を解決するための手段】
【００１１】
前記従来の課題を解決するために、本発明の表示装置は、各種の入力設定を行うとともに設定内容を表示する操作表示部を有し、前記操作表示部は、上面側に設けられた表示ケースと、下面側に設けられたコントローラカバーと、前記表示ケースと前記コントローラカバーの間に位置し前記コントローラカバー内に収納された制御装置と、透明または半透明材料から成りコースや操作表示等に関する内容が表面または裏面に印刷され前記表示ケースの表面に貼付されたパネルシートとからなり、前記制御装置は、入力設定を行うための複数のタクトスイッチと、設定内容や進行状況などを表示するための発光ダイオードからなる複数の発光素子と、これらの電子部品を搭載したプリント基板とを備え、前記表示ケースは、前記発光素子のそれぞれに対応して複数の表示窓を形成するとともに、前記表示窓の外周部から延設され前記発光素子のそれぞれを上方から囲むように遮光リブを形成し、前記表示ケースの表面にはそれぞれの前記表示窓を囲むように格子状に明度の低い暗色の黒印刷部を印刷し、前記表示ケースと前記パネルシートとの間には透明材料から成るパネルカバーを設けた構成としたものである。
【００１２】
これによって、表示窓が密集して多くの発光素子を有していても、発光素子からの光の端部がくっきりと表示でき、視認性を高めることができる。
【発明の効果】
【００１３】
本発明の表示装置は、発光素子の光を通過させる表示窓の周囲に明度の低い暗色で印刷を施し、その上面に透明材料のパネルカバーを配設するように構成したことで、表示窓が密集していても、発光部端がくっきりと表示でき視認性を高めることができる。
【図面の簡単な説明】
【００１４】
【図１】本発明の実施の形態１における洗濯機の縦断面図
【図２】同洗濯機の制御装置を含む操作表示部の縦断面図
【図３】同洗濯機の制御装置を含む操作表示部の部分平面図
【図４】従来の洗濯機の表示装置の部分拡大断面図
【発明を実施するための形態】
【００１５】
第１の発明は、各種の入力設定を行うとともに設定内容を表示する操作表示部を有し、前記操作表示部は、上面側に設けられた表示ケースと、下面側に設けられたコントローラカバーと、前記表示ケースと前記コントローラカバーの間に位置し前記コントローラカバー内に収納された制御装置と、透明または半透明材料から成りコースや操作表示等に関する内容が表面または裏面に印刷され前記表示ケースの表面に貼付されたパネルシートとからなり、前記制御装置は、入力設定を行うための複数のタクトスイッチと、設定内容や進行状況などを表示するための発光ダイオードからなる複数の発光素子と、これらの電子部品を搭載したプリント基板とを備え、前記表示ケースは、前記発光素子のそれぞれに対応して複数の表示窓を形成するとともに、前記表示窓の外周部から延設され前記発光素子のそれぞれを上方から囲むように遮光リブを形成し、前記表示ケースの表面にはそれぞれの前記表示窓を囲むように格子状に明度の低い暗色の黒印刷部を印刷し、前記表示ケースと前記パネルシートとの間には透明材料から成るパネルカバーを設けた構成としたことにより、表示窓が密集して多くの発光素子を有していても、発光素子からの光の端部がくっきりと表示でき、視認性を高めることができる。
【００１６】
以下、本発明の実施の形態について、図面を参照しながら説明する。また、この実施の形態によって本発明が限定されるものではない。
【００１７】
（実施の形態１）
図１は、本発明の実施の形態１における洗濯機の縦断面図である。
【００１８】
図１において、筐体４１は，内部に複数のサスペンション４２によって外槽４３を懸垂防振支持している。洗濯・脱水軸４４は中空で２軸構造としている。洗濯兼脱水槽４５は側壁に多数の脱水孔（図示せず）を有するとともに、内周の上部に振動低減用の流体バランサ４６を有し、中央底部には衣類攪拌用のパルセータ４７が配設されている。
【００１９】
筐体４１の上部には、上部枠体４０を設け、上部枠体４０の前部には、各種の入力設定を行ない、設定内容を表示する操作表示部５１を配設している。そして、操作表示部５１の内方には、モータ４９等を制御し、洗い，すすぎ，脱水の一連の行程を逐次制御する制御手段（図示せず）を有する制御装置１２が収設されている。
【００２０】
伝達機構部４８は、内部に洗濯時の減速ギア（図示せず）を内蔵している。制御装置１２によりインバータ駆動させるモータ４９は外槽４３の外底部に取り付けられ，伝達機構部４８を介し，パルセータ４７，及び洗濯兼脱水槽４５を回転させる。
【００２１】
図２は、本発明の実施の形態１における洗濯機の制御装置を含む操作表示部の縦断面図、図３は、同洗濯機の制御装置を含む操作表示部の部分平面図である。
【００２２】
図２、図３において、操作表示部５１の内方に設けられた制御装置１２は、表示ケース３に固定されコントローラカバー８内に収納されている。
【００２３】
制御装置１２のプリント基板１には、入力設定を行なうための複数のタクトスイッチ１１や設定内容や進行状況などを表示するための発光ダイオードからなる複数の発光素子２などの電子部品が搭載されている。これらの複数のタクトスイッチ１１で操作部１０を、複数の発光素子２で表示部９を構成している。
【００２４】
表示ケース３の上面部には、複数の発光素子２に対応して形成された複数の表示窓４が開口して形成されており、上方から発光素子２の点灯、点滅を視認することができるとともに、表示ケース３のプリント基板１側には表示窓４の外周部から延設され発光素子２の一つ一つを上方から囲むように遮光リブ５が形成されている。
【００２５】
そして、表示ケース３の表面には、それぞれの表示窓４を囲うように格子状に明度の低い暗色である黒印刷部１３が印刷されている。
【００２６】
また、表示ケース３の上部に設けたパネルカバー６は、透明材料で形成されており、コースや操作表示に関する内容を印刷したパネルシート１４の裏面側に取り付けられている。
【００２７】
以上のように構成した洗濯機について、以下、その動作、作用を説明する。
【００２８】
使用者が操作表示部５１から運転コース選択や水位設定などのスイッチ操作を行なうと、そのスイッチに関連した特定の発光素子２が発光することにより、その光は直接光と表示ケース３の遮光リブ５に反射する反射光とが重なり表示窓４を通して使用者に視認され、洗濯機における特定の機能が実行されていることを使用者に知らせる。
【００２９】
この時、パネルカバー６によって、光の屈折と拡散が発生するが、表示ケース３表面に印刷した黒印刷部１３により、光の周囲が暗色になっているので明暗のコントラストがは
っきりしており、視認性を高めることができる。
【００３０】
以上のように、本実施の形態１においては、表示ケース３は、上面側に複数の発光素子２のそれぞれに対応して複数の表示窓４を形成し、下面側に表示窓４の外周部から延設されそれぞれの発光素子２を上方から囲むように遮光リブ５を形成するとともに、表面にはそれぞれの表示窓４を囲むように格子状に明度の低い暗色の黒印刷部１３を印刷し、表示ケース３と最上面のパネルシート１４との間に透明材料から成るパネルカバー６を設ける構成としたことにより、表示窓４が密集して多くの発光素子２を有していても、発光素子２からの光の端部がくっきりと表示でき、視認性を高めることができる。
【００３１】
また、本実施の形態では、洗濯機を例にして説明したが、同様な構成は、他のドラム式などの洗濯機や電化機器などの用途に適用できる。
【産業上の利用可能性】
【００３２】
以上のように、本発明にかかる表示装置は、発光素子の光を通過させる表示窓の周囲に明度の低い暗色で印刷を施し、その上面に透明材料のパネルカバーを配設するように構成したことで、表示窓が密集していても、光の端部がくっきりと表示でき、視認性を高めることが可能となるので、他のドラム式などの洗濯機や電化機器などの用途に適用できる。
【符号の説明】
【００３３】
１  プリント基板
２  発光素子
３  表示ケース
４  表示窓
５  遮光リブ
６  パネルカバー
８  コントローラカバー
１１  タクトスイッチ
１２  制御装置
１３  黒印刷部
１４  パネルシート
４０  上部枠体
４１  筐体
４３  外槽
４５  洗濯兼脱水槽
４７  パルセータ
４９  モータ
５１  操作表示部
【図１】
2015206808.tif 000003
【図２】
2015206808.tif 000004
【図３】
2015206808.tif 000005
【図４】
2015206808.tif 000006